(57)【要約】マルチキャリア広帯域無線通信は、伝送の受信対象装置が伝送で使用するために選択したキャリア周波数のグループを識別する識別情報を提供することにより支援する。選択されたキャリア周波数のグループでの送信で使用される変調・符号化方式は、選択されたキャリア周波数のグループでの伝送に関する通信品質を示す通信品質情報に基づき選択される。選択されたキャリア周波数のグループでの送信は、選択した変調・符号化方式によって実行される。
2009519673.tif 000002
【特許請求の範囲】
【請求項１】
マルチキャリア広帯域無線通信において使用される方法であって、
送信に使用すべきものとして受信対象装置が選択した、複数のキャリア周波数からなるキャリア周波数グループを識別するための識別情報を受信する受信ステップと、
前記キャリア周波数グループの送信に関連付けられた通信品質を示す通信品質情報を供給する供給ステップと、
前記通信品質情報に基づいて、前記キャリア周波数グループの送信に使用すべき変調方式と符号化方式とを選択する選択ステップと、
選択された前記変調方式と符号化方式とにしたがって前記キャリア周波数グループ上で送信を実行する送信ステップと
を含むことを特徴とする方法。
【請求項２】
前記供給ステップは、前記受信対象装置から前記通信品質情報を受信するステップを含むことを特徴とする請求項１に記載の方法。
【請求項３】
前記識別情報に基づいて他のキャリア周波数グループを特定するステップと、
前記他のキャリア周波数グループの送信に関連付けられた通信品質を示す他の通信品質情報を供給するステップと、
前記他の通信品質情報に基づいて、前記他のキャリア周波数グループの送信に使用すべき変調方式と符号化方式とを選択するステップと、
選択された前記変調方式と符号化方式とにしたがって前記他のキャリア周波数グループ上で送信を実行するステップと
をさらに含むことを特徴とする請求項１に記載の方法。
【請求項４】
前記他のキャリア周波数グループは、最初の前記キャリア周波数グループに対して所定の周波数関係を有することを特徴とする請求項３に記載の方法。
【請求項５】
前記他のキャリア周波数グループの送信に関連付けられた通信品質を示す他の通信品質情報を供給するステップは、
前記他のキャリア周波数グループを使用して前記受信対象装置が送信してきた信号の受信結果に関連した通信品質に基づいて、前記他の通信品質情報を推定するステップ
を含むことを特徴とする請求項３に記載の方法。
【請求項６】
前記受信対象装置が送信に使用するために選択した他のキャリア周波数グループを示す他の情報を受信するステップと、
前記他のキャリア周波数グループの送信に関連付けられた通信品質を示す他の通信品質情報を供給するステップと、
前記他の通信品質情報に基づいて、前記他のキャリア周波数グループの送信に使用すべき変調方式と符号化方式とを選択するステップと、
選択された前記変調方式と符号化方式とにしたがって前記他のキャリア周波数グループ上で送信を実行するステップと
をさらに含むことを特徴とする請求項１に記載の方法。
【請求項７】
前記他の情報は、前記他のキャリア周波数グループを識別するための他の識別情報であることを特徴とする請求項６に記載の方法。
【請求項８】
前記他のキャリア周波数グループを特定するために、前記識別情報とともに前記他の識別情報を使用するステップをさらに含むことを特徴とする請求項６に記載の方法。
【請求項９】
前記他の識別情報は、
前記他のキャリア周波数グループに関連付けられたインデックスと、前記キャリア周波数グループに関連付けられたインデックスとの間の差を示す情報を含んでいることを特徴とする請求項８に記載の方法。
【請求項１０】
前記通信品質情報は、ＳＩＮＲ値を含むことを特徴とする請求項１に記載の方法。
【請求項１１】
マルチキャリア広帯域無線通信において使用される方法であって、
送信に使用すべきものとして受信対象装置が選択した、複数のキャリア周波数からなるキャリア周波数グループを識別するための識別情報を供給する供給ステップと、
前記キャリア周波数グループの送信に関連付けられた通信品質に基づいて選択された変調方式と符号化方式にしたがって送信を実行する送信機に対して、前記識別情報を送信する送信ステップと
を含むことを特徴とする方法。
【請求項１２】
前記送信機に対して、前記通信品質を示す情報を送信するステップをさらに含むことを特徴とする請求項１１に記載の方法。
【請求項１３】
前記送信機に対して、
前記送信に使用すべきものとして受信対象装置が選択した他のキャリア周波数グループを示す他の情報を、前記送信機に対して送信するステップをさらに含むことを特徴とする請求項１１に記載の方法。
【請求項１４】
前記他の情報は、前記他のキャリア周波数グループを識別するための他の識別情報を含むことを特徴とする請求項１３に記載の方法。
【請求項１５】
前記他のキャリア周波数グループを識別するために、前記他の識別情報が前記識別情報と組み合わせて供給されることを特徴とする請求項１３に記載の方法。
【請求項１６】
前記他の情報は、
前記他のキャリア周波数グループに関連付けられたインデックスと、前記キャリア周波数グループに関連付けられたインデックスとの間の差を示す情報を含んでいることを特徴とする請求項１５に記載の方法。
【請求項１７】
マルチキャリア広帯域無線通信装置であって、
送信に使用すべきものとして受信対象装置が選択した、複数のキャリア周波数からなるキャリア周波数グループを識別するための識別情報を受信するための入力部と、
前記キャリア周波数グループの送信に関連付けられた通信品質を示す通信品質情報を供給する入力手段を備え、前記通信品質情報に基づいて、前記キャリア周波数グループの送信に使用すべき変調方式と符号化方式とを選択するリンクアダプテーション部と、
アンテナ装置と、
前記アンテナ装置と、前記リンクアダプテーション部と、前記入力部とに接続され、前記アンテナ装置と協働し、選択された前記変調方式と符号化方式とにしたがって前記キャリア周波数グループ上で送信を実行する送信部と
を含むことを特徴とするマルチキャリア広帯域無線通信装置。
【請求項１８】
前記マルチキャリア広帯域無線通信装置は、ＯＦＤＭ装置であることを特徴とする請求項１７に記載のマルチキャリア広帯域無線通信装置。
【請求項１９】
前記マルチキャリア広帯域無線通信装置は、携帯端末装置であることを特徴とする請求項１７に記載のマルチキャリア広帯域無線通信装置。
【請求項２０】
マルチキャリア広帯域無線通信装置であって、
マルチキャリア広帯域無線通信装置への送信に使用すべき複数のキャリア周波数からなるキャリア周波数グループを選択し、選択した該キャリア周波数グループを識別するための識別情報を含む報告を供給する報告生成部と、
アンテナ装置と、
前記報告生成部と、前記アンテナ装置とに接続され、前記キャリア周波数グループの送信に関連付けられた通信品質に基づいて選択された変調方式と符号化方式にしたがって送信を実行する送信機に対して、前記報告を前記アンテナ装置と協働して送信する送信部と
を含むことを特徴とするマルチキャリア広帯域無線通信装置。
【請求項２１】
前記マルチキャリア広帯域無線通信装置は、ＯＦＤＭ装置であることを特徴とする請求項２０に記載のマルチキャリア広帯域無線通信装置。
【請求項２２】
前記マルチキャリア広帯域無線通信装置は、携帯端末装置であることを特徴とする請求項２０に記載のマルチキャリア広帯域無線通信装置。
【発明の詳細な説明】
【技術分野】
【０００１】
本発明は、一般に無線通信に関し、より詳細には、マルチキャリア広帯域無線通信に関する。
【背景技術】
【０００２】
直交周波数分割多重（ＯＦＤＭ）などのマルチキャリア広帯域伝送技術は、無線通信におけるデータレートおよびスループット増加の可能性を提供する。当技術分野で周知のように、これらのマルチキャリア広帯域伝送技術は、スペクトラムを伝送用の「チャンク」に分割し、チャンクを最適化し、それらを受信機で再組み立てすることにより、複数のチャネルにより広帯域データレート性能を提供し得る。比較的広い周波数スペクトラムを利用するため、チャネル品質は、複数の周波数キャリア間で大きく変わることがある。
【０００３】
図１は、チャネル品質が占有スペクトラムにわたってどのように変わり得るかの例１１を示したグラフである。チャネル品質は、図１の例では、ＳＩＮＲ（信号対干渉雑音比）で表されている。より具体的には、図１の各「チャンクインデックス」値はキャリア周波数のグループ（すなわちチャンク）に対応している。曲線１１はチャンクのＳＩＮＲを表す。所与のチャンク内のキャリアは、同じ変調・符号化方式（ＭＣＳ、Modulation and Coding Scheme）をグループ内の各キャリアに対して使用し得ると見なすに十分な類似の周波数応答を互いに有すると従来考えられている。
【０００４】
図１の１１が示すチャネル品質のこの種の大きな変動は、適切なＭＣＳを選択するプロセスに困難を引き起こすことがある。ＭＣＳの選択は、伝送で見込まれるチャネル品質に密接に関係するからである。ＭＣＳ選択プロセスは、一般的にリンクアダプテーションとたいてい呼ばれる。ＭＣＳの選択は、ＶｏＩＰ（Ｖｏｉｃｅ  ｏｖｅｒ  ＩＰ）サービスならびに他のいくつかの種類のリアルタイムマルチメディアサービスおよびストリーミングマルチメディアサービスで広く用いられている小ブロックで情報を伝送するとき、特に難しいことがある。
【発明の開示】
【発明が解決しようとする課題】
【０００５】
先行技術のソリューションの中には、受信機が利用スペクトラム全体にわたるチャネル品質の平均値を計算し、この平均値を送信機にフィードバックするものがある。図１の１２で示す平均ＳＩＮＲは、この平均チャネル品質の例である。送信される情報ビットが利用スペクトラムの大きい部分を占有するように割り当て得られる場合、平均チャネル品質は有効であり得る。例として、平均チャネル品質は、スペクトラムの全チャンクを占有するように、またはスペクトラム全体にわたって分散配置されたチャンク（例えば、奇数のチャンクインデックスを持つ全チャンク）を占有するように割り当て得る伝送に有効であろう。
【０００６】
しかし、特定のキャリアまたは特定のチャンクにおける実際のチャネル品質は、計算した平均チャネル品質とは大きく異なることがある。このことは、図１の例で実際のチャネル品質１１と平均チャネル品質１２とを比べることにより、理解できよう。平均チャネル品質に対する実際のチャネル品質の偏差は、比較的小さなスペクトラムの部分に割り当てられた小さな情報ブロックに対するリンクアダプテーションを著しく譲歩させることがある。これらの状況下では、平均チャネル品質だけに基づいたＭＣＳ選択は、望ましくないほど高いブロックエラーレート（ＢＬＥＲ、Block Error Rate）を招くことがあり、待ち時間およびシステム負荷の増加につながることがある。
【０００７】
他の先行技術のソリューションでは、受信機がスペクトラム全体にわたって全キャリアのチャネル品質を測定し、この情報を送信機にフィードバックして、リンクアダプテーションに使用する。このアプローチは、大小両方の情報ブロックの伝送に対して対応可能なリンクアダプテーションを実現できるが、通常、望ましくないほど多くの利用可能な無線リソースを必要とする。
【０００８】
以上のことを考慮して、送信データブロックの全サイズで有効なリンクアダプテーションを提供する一方で、先行技術のソリューションに関する前述の課題を解決することが望ましい。
【課題を解決するための手段】
【０００９】
本発明の実施形態は、伝送の受信対象装置が伝送で使用するために選択したキャリア周波数のグループを識別する識別情報を提供することにより、マルチキャリア広帯域無線通信を支援する。選択されたキャリア周波数のグループでの伝送で使用する変調・符号化方式は、選択されたキャリア周波数のグループでの伝送に関する通信品質を示す通信品質情報に基づき選択される。選択されたキャリア周波数のグループでの伝送は、選択した変調・符号化方式によって実行される。
【発明を実施するための最良の形態】
【００１０】
本発明の実施形態によれば、受信機は、局所的に最善のチャンクに関する１つ以上のチャネル品質測定値を送信機にフィードバックする。次いで送信機は、それらの局所的に好ましいチャンクおよびそれらのチャンクの周辺に位置するチャンクを割り当て、受信機からフィードバックされたチャネル品質測定値に基づきリンクアダプテーションを実行する。送信機は、局所的に好ましいチャンクの周辺にチャネル品質マスクを適用してもよい。種々の実施形態では、送信機がチャネル品質マスクを推定するか、または受信機がチャネル品質マスクを送信機にフィードバックする。
【００１１】
いくつかの実施形態で、受信機は、局所的に好ましいチャンクを示すチャンク情報（例えば、局所的に好ましいチャンクに関するチャンクインデックス）、および局所的に好ましいチャンクに対するチャンク品質を示すチャネル品質情報（例えば、ＳＩＮＲ値）を有する報告を送信機にフィードバックする。受信機からのこのフィードバック情報に応えて、送信機は、局所的に好ましいチャンクを、局所的に好ましいチャンクに関するキャリア周波数に隣接したキャリア周波数を包含している追加のチャンクと一緒に選択する。図２は、例示的な広帯域マルチキャリア無線通信システムの利用スペクトラムにわたる周波数応答の種々の測定例を示す。参照番号２１は受信機が測定したＳＩＮＲを示している。参照番号２２は、パケット伝送中のＳＩＮＲを示している。参照番号２３は、長区間平均ＳＩＮＲを示す。
【００１２】
図２の例の状況を仮定すると、受信機は、インデックス８２に対応するチャンクが好ましい。よって、受信機は、この好ましいチャンクがＳＩＮＲで８ｄＢであることを、送信機に通知してもよい。次いで送信機は、この特定の受信機に情報を送信するために、例えばチャンクインデックス８０、８１、８２、８３、８４を割り当ててもよい。送信機は、選択した隣接チャンクに対するＳＩＮＲの推定値を提供してもよい。例えば、隣接チャンクのインデックス８０、８１、８３、８４に対する推定ＳＩＮＲは、それぞれ５、７、７、５ｄＢであると推定してもよい。従って、伝送用に割り当てられた前述の５つのチャンクに関するチャネル品質は、チャネル品質マスク（この例では、ＳＩＮＲマスク）の表記形態を利用して、ＳＩＮＲ＝８＋［−３，−１，０，−１，−３］ｄＢと書いてもよい。次いでこのチャネル品質情報は、割り当てられたチャンクに対するリンクアダプテーションを実行するために使用される。例えば、各チャンクで伝送のために使用されるＭＣＳは、そのチャンクに関するＳＩＮＲに基づき決定されてもよい。
【００１３】
いくつかの実施形態では、上記のチャネル品質マスクは、広帯域無線チャネルの平均マルチパスフェージングプロファイルに関連する。比較的に平坦なチャネルに関しては、隣接チャンク間の品質差を比較的小さくしつつ、マスクは比較的広くしてもよい（すなわち、より多くのチャネルがあってもよい）。より分散性のチャネルに関しては、隣接チャネル間の品質差をより大きくしつつ、マスクはより狭く（すなわち、より少ないチャネル）してもよい。
【００１４】
いくつかの実施形態では、チャネル品質マスクは、受信機からのフィードバック報告に含まれて供給されてもよい。例えば、受信機は、利用中のスペクトラムに収容されているチャンクの全部または選択した任意のサブセットに関するチャネル品質情報（例えば、ＳＮＩＲ値）を含むチャネル品質マスク報告を送信機に周期的にフィードバックしてもよい。いくつかの実施形態では、これらのチャネル品質マスク報告は、局所的に好ましいチャンクおよびその関連したチャネル品質の前述の報告より少ない頻度で送信される。例えば、いくつかの実施形態では、約数秒の報告頻度でチャネル品質マスク報告をフィードバックする。
【００１５】
いくつかの実施形態では、受信機からの前述のチャネル品質マスク報告の便宜なしに、送信機自体が所望のチャネル品質マスクを構成してもよい。チャネル品質マスク報告の代わりに、送信機は、受信機からのリバースリンク（上り回線）についてのマルチパスチャネルプロファイルを自装置により測定し、その測定結果に基づき、チャネル品質マスクを構成してもよい。
【００１６】
リバースリンクのマルチパスチャネルプロファイルは、２つの通信機器間の距離、散乱物体の位置およびアンテナ方向などの要因によって決定される。同じこれらの要因は、送信機から受信機へのフォワードリンク（下り回線）のマルチパスチャネルプロファイルを決定する処理において同様の役割を演じる。フォワードリンクとリバースリンクのある瞬間のマルチパスチャネル応答は互いに異なることがあるが、リバースリンクの時間平均プロファイルは、フォワードリンクの時間平均プロファイルと安定的な関係を示すと見なしてもよい。
【００１７】
送信機がチャネル品質を推定するために自装置によるリバースリンク測定値を使用するいくつかの実施形態では、受信機は局所的に好ましいチャンク情報だけをフィードバックし、送信機はリバースリンク測定値に基づき関連チャネル品質を推定する。
【００１８】
いくつかの実施形態で、受信機は、局所的に好ましい２つ以上のチャンクに対するインデックスおよび対応するチャネル品質測定値を含む報告をフィードバックしてもよい。再び図２の例を参照して、受信機のフィードバック報告は、例えばＳＩＮＲ＝８ｄＢであるチャンクのチャンクインデックス８２と、ＳＩＮＲ＝７ｄＢであるチャンクのチャンクインデックス６６とを含むことができよう。その場合、送信機は、例えば送信で使用するために次のように割り当ててもよい。
【００１９】
ＳＩＮＲマスク８＋［−３，−１，０，−１，−３］ｄＢを持つインデックス８０〜８４のチャンクと、
ＳＩＮＲマスク７＋［−３，−１，０，−１，−３］ｄＢを持つインデックス６４〜６８のチャンク。
次いでこれらのチャンクは、関連ＳＩＮＲマスクから特定された関連ＳＩＮＲに従って、リンクアダプテーションが各チャンクに対して実行されて、受信機への送信に使用されてもよい。
【００２０】
いくつかの実施形態で、受信機は、局所的に好ましいチャンクに対するインデックスおよび対応するチャネル品質情報を含み、さらに他の局所的に好ましいチャンクのインデックスを識別するために送信機が使用できる追加情報を含む報告を、送信機にフィードバックする。例えばいくつかの実施形態では、フィードバック報告は、局所的に好ましいチャンクインデックス間の距離を表す数値を有してもよい。再び図２の例を参照すると、受信機は、例えばＳＩＮＲ＝８ｄＢを持つチャンクインデックス８２を特定し、距離の数値１６をさらに含む報告をフィードバックできよう。このフィードバック情報を解析することで、送信機は、インデックス８２で具体的に特定されたチャンクに加えて、例えばインデックス６６（８２−１６）および５０（８２−（２×１６））にも局所的に好ましいチャンクがあると判定できよう。次いで受信機は、伝送で使用するために次のように割り当てることができよう。
【００２１】
ＳＩＮＲマスク８＋［−３，−１，０，−１，−３］ｄＢを持つインデックス８０〜８４のチャンクと、
ＳＩＮＲマスク８＋［−３，−１，０，−１，−３］ｄＢを持つインデックス６４〜６８のチャンクと、
ＳＩＮＲマスク８＋［−３，−１，０，−１，−３］ｄＢを持つインデックス４８〜５２のチャンク。
ここで留意すべきは、この特定の例では、受信機は、インデックス６６のチャンクに関するチャネル品質とインデックス５０のチャンクに関するチャネル品質を、受信機がインデックス８２のチャンクに関して報告したチャネル品質と同じであると単に見なすことである。他の実施形態では、受信機からフィードバックされるチャネル品質と受信機のフィードバック報告の中に搭載されている前述の追加情報（例えば、前述の距離値）に基づき、送信機が特定するチャンクインデックスに関するチャネル品質との間に、他の関係を想定する。いくつかの実施形態では、受信機からフィードバックされるインデックスからの距離の増加に伴い、チャネル品質が減少すると想定する。一つの例では、送信機が送信で使用するために、次のように割り当てる。
【００２２】
ＳＩＮＲマスク８＋［−３，−１，０，−１，−３］ｄＢを持つインデックス８０〜８４のチャンクと、
ＳＩＮＲマスク７＋［−３，−１，０，−１，−３］ｄＢを持つインデックス６４〜６８のチャンクと、
ＳＩＮＲマスク６＋［−３，−１，０，−１，−３］ｄＢを持つインデックス４８〜５２のチャンク。
【００２３】
伝送で使用するために２つ以上のチャンクセットを割り当てる上記の実施形態では、同じチャネル品質マスクを各チャンクセットで使用する。他の実施形態では、送信機は、同じチャネル品質マスクと各チャンクセットとを関連付けない。例えば、受信機が占有スペクトラムのチャンクの全部または選択したサブセットに関するチャネル品質情報を周期的に報告する上記の実施形態では、送信機は、最新の報告に収容されている対応したチャネル品質情報から、選択したチャンクセットの一部または全部に対するチャネル品質マスクを直接取得してもよい。
【００２４】
いくつかの実施形態で、受信機は、そのフィードバック報告の一部または全部の中に、利用スペクトラム全体にわたるチャンクのチャネル品質の平均値（図１の１１および図２の２３参照）に関する最新情報を含めてもよい。送信機が（上記実施形態のいずれかに従って）選択したチャンクのいずれかが何らかの理由で送信に利用できないと送信機が判定した場合、受信機は利用可能なチャンクを代替として割り当ててもよく、現在の平均チャネル品質に基づき代替チャンクに対するＭＣＳを選択してもよい。受信機が占有スペクトラムのチャンクの全部または選択したサブセットに関するチャネル品質情報を定期的に報告する上記のいくつかの実施形態で、送信機は、最新の報告に収容された対応するチャネル品質情報に基づき、代替チャンクの一部または全部に対してＭＣＳを選択してもよい。
【００２５】
種々の実施形態では、受信機は、局所的に好ましいチャンクを選択するために種々の基準を使用する。例えばいくつかの実施形態で、局所的に好ましいチャンクが選択される理由は、最新のチャネル品質測定値に関して、それが最善（または最善の中の１つ）のチャンクだからである。他の実施形態で、局所的に好ましいチャンクの選択は、最新のチャネル品質測定値だけでなく、例えばチャンク間の相対的な品質傾向などの他の要因にも基づく。
【００２６】
図３および図４は、本発明の実施形態に関して先に詳述した動作の概略説明図を提供する。図３は、マルチキャリア広帯域無線伝送の受信対象となる受信端で実行し得る動作例を示した図である。図４は、送信端で実行し得る動作例を示す図である。
【００２７】
図３で受信端に関して示すように、１つを超える局所的に好ましいチャンクおよび対応するチャネル品質測定値がステップ３１で識別（特定）される。ステップ３２で、３１で特定されたチャンクと品質測定値を示す情報がフィードバック報告で送信端に送信される。図３では、破線で、チャネル品質マスク情報のフィードバック報告を提供する実施形態で実行し得る追加の動作を示す。チャネル品質マスク情報の報告は、ステップ３３で決定された次の報告時間が来るたびにステップ３４で送信される。
【００２８】
以降では、図４に示す送信端の動作を説明する。ステップ４１でフィードバック報告が取得された後、ステップ４２でフィードバック報告に基づき、チャンクが割り当てられる。ステップ４３で、割り当てられたチャンクのすべてが利用可能というわけではないと判定された場合、ステップ４４で代替チャンクが割り当てられる。ステップ４５で、割り当てられたチャンクに関するチャネル品質が決定され、ステップ４６で、割り当てられたチャンクに対するリンクアダプテーションが、関連チャネル品質に基づき実行される。次いで割り当てられたチャンクは、ステップ４７で、受信端に所望の通信を送信するために使用される。
【００２９】
図５は、本発明の実施形態によるマルチキャリア広帯域無線通信装置を示す図である。いくつかの実施形態で、図５の装置は携帯端末装置である。種々の実施形態で、図５の装置は、先に詳述し図３に概略を示した動作を実行する。図５の装置は、受信処理部５３および送信処理部５４に結合したアンテナアセンブリ５５を有し、それらはすべて、所望のマルチキャリア広帯域無線通信を達成するために、おおむね従来のやり方で他の通信装置と協働してもよい。受信処理部５３に結合したチャネル品質測定部５１は、別のマルチキャリア広帯域無線通信装置から受信した無線通信シグナリングを踏まえて、チャネル品質測定情報（例えば、ＳＩＮＲ情報）を作成する。
【００３０】
チャネル品質測定情報は、概略的に５６で示されており、報告生成部５２に提供される。チャネル品質測定情報５６に基づき、報告生成部５２は、例えば先に詳述した報告のいずれかなどの報告を生成する。これらの報告は、概略的に５７で示されており、送信処理部５４に転送される。送信処理部５４は、アンテナアセンブリ５５と協働し、報告をフィードバックとして前述の別のマルチキャリア広帯域無線通信装置に送信する。次いでこの別の通信装置（その実施形態を図６に示す）は、先に詳述した例示のやり方のいずれかでフィードバック報告を使用し、図５の装置へのその伝送に関係するリンクアダプテーション動作を支援する。
【００３１】
図６は、本発明の実施形態による別のマルチキャリア広帯域無線通信装置を図式的に示す。いくつかの実施形態では、図６の装置は固定位置の装置である。種々の実施形態において図６の装置は、先に詳述し図４に概略を示す動作を実行する。図６の装置は、受信処理部６３および送信処理部６４に結合したアンテナアレイ６６を有し、それらはすべて、所望のマルチキャリア広帯域無線通信を達成するために、おおむね従来のやり方で他の通信装置と協働してもよい。ロジック（論理回路）６１は、受信処理部６３に結合し、例えば先に詳述し図５の５７で示した報告のいずれかなどのフィードバック報告を受信する。
【００３２】
ロジック６１は、先に詳述した例示のやり方のいずれかのやり方でフィードバック報告６７を利用し、リンクアダプテーション部６２での使用のために、６８で概略的に示すチャンクインデックスおよび対応するチャネル品質を作成する。６８のチャンクインデックスおよび対応するチャネル品質を踏まえて、リンクアダプテーション部６２は、適切なＭＣＳを選択し、フィードバック報告を提供した通信装置（例えば、図５の装置）に送信するために使用するチャンクおよびＭＣＳを示す情報６９を送信処理部６４に転送する。
【００３３】
図６は、装置が自装置のチャネル品質測定部６５を使用し、リバースリンクのチャネル品質（例えばＳＩＮＲ）測定値を取得し、次いでこのリバースリンクチャネル品質情報を使用し、フィードバック報告６７で特定されたチャンクに関するチャネル品質を推定する実施形態も示す。破線６０は、チャネル品質測定部６５からリンクアダプテーション部６２に提供されるリバースリンクチャネル品質測定値を示す。
【００３４】
以上から理解し得るように、本発明の実施形態は、マルチキャリア広帯域無線通信システムにおいて、送信データブロックのサイズにかかわらず、利用可能な無線リソースに対して効率的に実施し得る有効なリンクアダプテーションを提供する。上記の実施形態は、例えばハードウェア、ソフトウェア、およびハードウェアとソフトウェアの適切な組み合わせで実装し得ることも、当業者ならわかるであろう。
【００３５】
本発明の実施形態について、これまで詳細に説明したが、このことは本発明の範囲を限定せず、本発明は種々の実施形態で実施し得る。
【図面の簡単な説明】
【００３６】
【図１】マルチキャリア広帯域無線通信システムのスペクトラムにわたる周波数応答をグラフで示す図である。
【図２】本発明の実施形態の説明を容易にするために本明細書で使用する周波数応答であり、例示のマルチキャリア広帯域無線通信システムのスペクトラムにわたる周波数応答をグラフである。
【図３】本発明によるマルチキャリア広帯域無線伝送の対象受信端で実行してもよい動作例を示す図である。
【図４】本発明によるマルチキャリア広帯域無線伝送の送信端で実行してもよい動作例を示す図である。
【図５】本発明の実施形態によるマルチキャリア広帯域無線通信装置を図式的に示す図である。
【図６】本発明の実施形態による別のマルチキャリア広帯域無線通信装置を図式的に示す図である。
【図１】
2009519673.tif 000003
【図２】
2009519673.tif 000004
【図３】
2009519673.tif 000005
【図４】
2009519673.tif 000006
【図５】
2009519673.tif 000007
【図６】
2009519673.tif 000008
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
マルチキャリア広帯域無線通信において使用される方法であって、
送信に使用すべきものとして受信対象装置が選択した、複数のキャリア周波数からなるキャリア周波数グループを識別するための識別情報を受信する受信ステップと、
前記キャリア周波数グループの送信に関連付けられた通信品質を示す通信品質情報を供給する供給ステップと、
送信に使用すべきものとして前記受信対象装置が選択した他のキャリア周波数グループを示す他の情報を受信するステップと、
前記他のキャリア周波数グループの送信に関連付けられた通信品質を示す他の通信品質情報を供給するステップと、
前記他のキャリア周波数グループに関連付けられたインデックスと、前記キャリア周波数グループに関連付けられたインデックスとの間の差を示す情報を含んでいる前記他の情報を、前記他のキャリア周波数グループを特定するために、前記識別情報とともに使用するステップと、
前記通信品質情報に基づいて、各キャリア周波数グループの送信に使用すべき変調方式と符号化方式とを選択する選択ステップと、
選択された前記変調方式と符号化方式とにしたがって前記各キャリア周波数グループ上で送信を実行する送信ステップと
を含むことを特徴とする方法。
【請求項２】
前記供給ステップは、前記受信対象装置から前記通信品質情報を受信するステップを含むことを特徴とする請求項１に記載の方法。
【請求項３】
前記識別情報に基づいて他のキャリア周波数グループを特定するステップと、
前記他のキャリア周波数グループの送信に関連付けられた通信品質を示す他の通信品質情報を供給するステップと、
前記他の通信品質情報に基づいて、前記他のキャリア周波数グループの送信に使用すべき変調方式と符号化方式とを選択するステップと、
選択された前記変調方式と符号化方式とにしたがって前記他のキャリア周波数グループ上で送信を実行するステップと
をさらに含むことを特徴とする請求項１に記載の方法。
【請求項４】
前記他のキャリア周波数グループは、最初の前記キャリア周波数グループに対して所定の周波数関係を有することを特徴とする請求項３に記載の方法。
【請求項５】
前記他のキャリア周波数グループの送信に関連付けられた通信品質を示す他の通信品質情報を供給するステップは、
前記他のキャリア周波数グループを使用して前記受信対象装置が送信してきた信号の受信結果に関連した通信品質に基づいて、前記他の通信品質情報を推定するステップ
を含むことを特徴とする請求項３に記載の方法。
【請求項６】
前記通信品質情報は、ＳＩＮＲ値を含むことを特徴とする請求項１に記載の方法。
【請求項７】
マルチキャリア広帯域無線通信において使用される方法であって、
送信に使用すべきものとして受信対象装置が選択した、複数のキャリア周波数からなるキャリア周波数グループを識別するための識別情報を供給する供給ステップと、
送信に使用すべきものとして前記受信対象装置が選択した他のキャリア周波数グループを示す他の情報であって、該他のキャリア周波数グループに関連付けられたインデックスと、前記キャリア周波数グループに関連付けられたインデックスとの間の差を示す情報を含んでいる該他の情報を、前記記他のキャリア周波数グループを識別するために、前記識別情報と組み合わせて供給するステップと、
前記キャリア周波数グループの送信に関連付けられた通信品質に基づいて選択された変調方式と符号化方式にしたがって送信を実行する送信機に対して、前記識別情報を送信する送信ステップと
を含むことを特徴とする方法。
【請求項８】
前記送信機に対して、前記通信品質を示す情報を送信するステップをさらに含むことを特徴とする請求項７に記載の方法。
【請求項９】
マルチキャリア広帯域無線通信装置であって、
送信に使用すべきものとして受信対象装置が選択した、複数のキャリア周波数からなるキャリア周波数グループを識別するための識別情報と、送信に使用すべきものとして該受信対象装置が選択した他のキャリア周波数グループを示す他の情報とを受信するための入力部と、
前記他のキャリア周波数グループを特定するために、前記他のキャリア周波数グループに関連付けられたインデックスと前記キャリア周波数グループに関連付けられたインデックスとの間の差を示す情報を含んでいる前記他の情報を前記識別情報とともに使用する手段と、
各キャリア周波数グループの送信に関連付けられた通信品質を示す通信品質情報を供給する入力手段を備え、前記通信品質情報に基づいて、前記キャリア周波数グループの送信に使用すべき変調方式と符号化方式とを選択するリンクアダプテーション部と、
アンテナ装置と、
前記アンテナ装置と、前記リンクアダプテーション部と、前記入力部とに接続され、前記アンテナ装置と協働し、選択された前記変調方式と符号化方式とにしたがって前記キャリア周波数グループ上で送信を実行する送信部と
を含むことを特徴とするマルチキャリア広帯域無線通信装置。
【請求項１０】
前記マルチキャリア広帯域無線通信装置は、ＯＦＤＭ装置であることを特徴とする請求項９に記載のマルチキャリア広帯域無線通信装置。
【請求項１１】
前記マルチキャリア広帯域無線通信装置は、携帯端末装置であることを特徴とする請求項９に記載のマルチキャリア広帯域無線通信装置。
【請求項１２】
マルチキャリア広帯域無線通信装置であって、
マルチキャリア広帯域無線通信装置への送信に使用すべき複数のキャリア周波数からなるキャリア周波数グループを選択し、選択した該キャリア周波数グループを識別するための識別情報と、送信に使用すべきものとして該受信対象装置が選択した他のキャリア周波数グループを示す他の情報とを含む報告を供給する報告生成部と、
アンテナ装置と、
前記報告生成部と、前記アンテナ装置とに接続され、前記キャリア周波数グループの送信に関連付けられた通信品質に基づいて選択された変調方式と符号化方式にしたがって送信を実行する送信機に対して、前記報告を前記アンテナ装置と協働して送信する送信部と
を含み、前記他の情報は、前記他のキャリア周波数グループに関連付けられたインデックスと、前記キャリア周波数グループに関連付けられたインデックスとの間の差を示す情報を含んでいることを特徴とするマルチキャリア広帯域無線通信装置。
【請求項１３】
前記マルチキャリア広帯域無線通信装置は、ＯＦＤＭ装置であることを特徴とする請求項１２に記載のマルチキャリア広帯域無線通信装置。
【請求項１４】
前記マルチキャリア広帯域無線通信装置は、携帯端末装置であることを特徴とする請求項１２に記載のマルチキャリア広帯域無線通信装置。
【国際調査報告】
2009519673.tif 000009
2009519673.tif 000010
2009519673.tif 000011